(57)【要約】【課題】薄型で着用感に優れ、臀部領域での吸収体の折れに起因する不都合を防止し得る吸収性物品を提供すること。【解決手段】吸収性物品１は、吸収層４０を含むシート状の吸収体４と、該吸収体４よりも着用者の身体から遠い位置に配された裏面シート３とを具備する。裏面シート３の非肌対向面に、該裏面シート３を着用者の着衣に固定するズレ止め部６が配されている。着用時に着用者の臀部に配される臀部領域において、吸収体４の横方向Ｙの中央部に、吸収層４０が存在しない吸収層非存在部４２が縦方向Ｘに延在している。ズレ止め部６が、吸収層非存在部４２を挟んだ横方向Ｙの両側に配されている。【選択図】図３
2019097593.tif 000002
【特許請求の範囲】
【請求項１】
着用者の前後方向に対応する縦方向及び該縦方向に直交する横方向を有し、吸収層を含むシート状の吸収体と、該吸収体よりも着用者の身体から遠い位置に配された裏面シートとを具備し、該裏面シートの非肌対向面に、該裏面シートを着用者の着衣に固定するズレ止め部が配されている吸収性物品であって、
着用時に着用者の臀部に配される臀部領域において、前記吸収体の横方向中央部に、前記吸収層が存在しない吸収層非存在部が縦方向に延在しており、
前記ズレ止め部が、前記吸収層非存在部を挟んだ横方向両側に配されている吸収性物品。
【請求項２】
前記ズレ止め部が、前記吸収体の縦方向に沿う側縁から横方向外方に延出している請求項１に記載の吸収性物品。
【請求項３】
前記ズレ止め部が、前記吸収体の縦方向端から縦方向外方に延出している請求項１又は２に記載の吸収性物品。
【請求項４】
前記吸収層が、吸水性樹脂及び水溶性高分子を含む請求項１〜３の何れか１項に記載の吸収性物品。
【請求項５】
前記吸収体が、前記吸収層及び基材層のみからなり、該基材層の片面に該吸収層が形成されている請求項４に記載の吸収性物品。
【請求項６】
前記基材層が不織布である請求項５に記載の吸収性物品。
【請求項７】
前記ズレ止め部が前記吸収層非存在部と重なっていない請求項１〜６の何れか１項に記載の吸収性物品。
【請求項８】
前記吸収体の周縁の少なくとも一部から外方に延出する吸収体非配置領域を具備し、該吸収体が配置されている領域における前記吸収層非存在部以外の部分と該吸収体非配置領域との厚み差が２．０ｍｍ以下である請求項１〜７の何れか１項に記載の吸収性物品。
【発明の詳細な説明】
【技術分野】
【０００１】
本発明は、失禁パッド、生理用ナプキン等の吸収性物品に関する。
【背景技術】
【０００２】
吸収性物品は、典型的には、着用者の身体側に位置する表面シート、下着等の着衣側に位置する裏面シート及び両シート間に介在配置された吸収体を含んで構成されている。従来、吸収性物品として、生理用ナプキンや失禁パッドのように、ショーツ等の下着の内側に配して使用するタイプの吸収性物品が知られている。このタイプの吸収性物品においては、着用中において、ヨレが生じやすく、ずれやすいという問題がある。ヨレやずれが発生すると、着用者に不快感を与えると共に、正しい位置に吸収性物品が配されないことによる漏れのリスクが高まる。そこで、このタイプの吸収性物品は、通常、裏面シートの非肌対向面に、粘着剤等からなるズレ止め部が設けられ、該ズレ止め部を介して該吸収性物品を着用者の着衣に固定するようになされている。
【０００３】
ズレ止め部による吸収性物品の固定力を高めるために、ズレ止め部の配置などを工夫した技術が種々提案されている。例えば特許文献１には、吸収性物品の排泄部領域に複雑な力が加えられても、排泄部領域のズレ止め部がめくれないようするために、ズレ止め部を、吸収性物品の縦方向両側部に一対設け、且つ排泄部領域を挟んで横方向両側に、横方向内側に向かって凸な曲線形状を有するように設けることが記載されている。また特許文献２には、低剛性部と、該低剛性部によって区画されて平面方向に分散している複数の高剛性部とを有する吸収体を備えた吸収性物品において、ズレ止め部を、該吸収体の横方向両側部に対応する領域にて縦方向に延在させることで、吸収性物品の着用時におけるヨレやずれが生じにくくなることが記載されている。また特許文献３には、ズレ止め部を裏面シートの非肌対向面の縦方向の全長にわたって延在させることが記載されている。
【先行技術文献】
【特許文献】
【０００４】
【特許文献１】特開２００９−１３６３５４号公報
【特許文献２】特開２０１３−３７５号公報
【特許文献３】特表２００５−５１８２５１号公報
【発明の概要】
【発明が解決しようとする課題】
【０００５】
近年、良好な着用感を得る観点から、吸収体の薄型化が望まれている。しかし、厚みの薄い薄型吸収体は外力に対して柔軟に変形しやすいため、これを吸収性物品に適用すると、特に吸収性物品における着用者の臀部に配される領域において、吸収体が臀部の溝に沿って折れ曲がるように変形しやすく、また、その吸収体の変形が長時間維持され、着用者の違和感に繋がりやすいという問題があった。またこのように、吸収体が臀部の溝に沿って折れ曲がるように変形した場合、その変形部分に位置する裏面シートが着用者の着衣から浮き上がり吸収性物品のヨレを誘発したり、その浮き上がった裏面シートに存在するズレ止め部どうしが接着してしまうという問題もあった。このような、臀部に配される領域に特有の問題に着目し、その解決を図った技術は未だ提供されていない。
【０００６】
本発明の課題は、薄型で着用感に優れ、臀部領域での吸収体の折れに起因する不都合を防止し得る吸収性物品を提供することに関する。
【課題を解決するための手段】
【０００７】
本発明は、着用者の前後方向に対応する縦方向及び該縦方向に直交する横方向を有し、吸収層を含むシート状の吸収体と、該吸収体よりも着用者の身体から遠い位置に配された裏面シートとを具備し、該裏面シートの非肌対向面に、該裏面シートを着用者の着衣に固定するズレ止め部が配されている吸収性物品であって、着用時に着用者の臀部に配される臀部領域において、前記吸収体の横方向中央部に、前記吸収層が存在しない吸収層非存在部が縦方向に延在しており、前記ズレ止め部が、前記吸収層非存在部を挟んだ横方向両側に配されている吸収性物品である。
【発明の効果】
【０００８】
本発明によれば、薄型で着用感に優れ、臀部領域での吸収体の折れに起因する不都合を防止し得る吸収性物品が提供される。
【図面の簡単な説明】
【０００９】
【図１】図１は、本発明の吸収性物品の一実施形態である失禁パッドの一実施形態の肌対向面（表面シート側）を模式的に示す平面図である。
【図２】図２は、図１のＩ−Ｉ線断面を模式的に示す横断面図である。
【図３】図３（ａ）〜図３（ｄ）は、それぞれ、図１に示す失禁パッドの非肌対向面（裏面シート側）を模式的に示す平面図であり、ズレ止め部の配置パターンを示す図である。
【図４】図４（ａ）〜図４（ｄ）は、それぞれ、本発明の吸収性物品の他の実施形態の非肌対向面（裏面シート側）を模式的に示す平面図であり、ズレ止め部の配置パターンを示す図（図３相当図）である。
【発明を実施するための形態】
【００１０】
以下、本発明の吸収性物品をその好ましい実施形態に基づき図面を参照して説明する。図１及び図２には、本発明の吸収性物品の一実施形態である失禁パッド１が示されている。失禁パッド１は、図１に示すように、着用者の前後方向に対応し、着用者の腹側から股間部を介して背側に延びる縦方向Ｘと、これに直交する横方向Ｙとを有する。失禁パッド１は、図１に示すように縦方向Ｘに長い縦長の形状を有し、該失禁パッド１を縦方向Ｘに二等分して横方向Ｙに延びる縦中心線ＣＬｘを境界として、前方部Ｆと後方部Ｒとに区分される。前方部Ｆは、着用時に着用者の腹側（前側）に配される部位、後方部Ｒは、着用時に着用者の背側（後側）に配される部位である。失禁パッド１は、該失禁パッド１を横方向Ｙに二等分して縦方向Ｘに延びる横中心線ＣＬｙを基準として、対称に形成されている。
【００１１】
後方部Ｒは臀部領域（図示せず）を含む。本明細書において「臀部領域」とは、吸収性物品における、着用時に着用者の臀部（臀部の溝）に配される領域である。失禁パッド１を例にとってより具体的に言えば、失禁パッド１の臀部領域は、「失禁パッド１の後方部Ｒ、即ち縦中心線ＣＬｘよりも縦方向Ｘの後方側の領域で、且つ後方部Ｒの縦方向端（失禁パッド１の後端）から失禁パッド１の縦方向Ｘの全長の０〜４０％にわたる領域」と言うことができる。
【００１２】
失禁パッド１は、吸収層４０を含むシート状の吸収体４と、該吸収体４よりも着用者の身体から遠い側に配された裏面シート３とを具備する。より具体的には、失禁パッド１は、図１及び図２に示すように、吸収体４よりも着用者の身体に近い位置に配され、着用者の肌と接触し得る失禁パッド１の肌対向面を形成する液透過性の表面シート２と、着用者の肌から最も遠い位置に配され、失禁パッド１の非肌対向面を形成する液難透過性の裏面シート３と、両シート２，３間に介在された液保持性の吸収体４とを具備する。
【００１３】
本明細書において、「肌対向面」は、吸収性物品又はその構成部材（例えば裏面シート３）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。尚、ここでいう「着用時」は、通常の適正な着用位置、即ち当該吸収性物品の正しい着用位置が維持された状態を意味する。
【００１４】
失禁パッド１では、図１及び図２に示すように、表面シート２が吸収体４の肌対向面の全域を被覆し、裏面シート３が吸収体４の非肌対向面の全域を被覆している。裏面シート３は、さらに吸収体４の縦方向Ｘに沿う両側縁４ａ，４ａから横方向Ｙの外方に延出して、後述するサイドシート５Ａと共にサイドフラップ部Ｓを形成している。サイドフラップ部Ｓは、失禁パッド１における、吸収体４から横方向Ｙの外方に延出する部材からなる部分である。裏面シート３とサイドシート５Ａとは、吸収体４の両側縁４ａ，４ａからの延出部において、接着剤、ヒートシール、超音波シール等の公知の接合手段によって互いに接合されている。また、表面シート２及び裏面シート３は、吸収体４の縦方向Ｘの両端からの延出部において、公知の接合手段によって互いに接合されている。表面シート２及び裏面シート３それぞれと吸収体４との間は接着剤によって接合されていてもよい。表面シート２、裏面シート３としては、この種の吸収性物品に従来使用されている各種のもの等を特に制限なく用いることができる。例えば、表面シート２としては、単層又は多層構造の不織布や、開孔フィルム等を用いることができる。裏面シート３としては、透湿性の樹脂フィルム等を用いることができる。
【００１５】
図１及び図２に示すように、失禁パッド１の肌対向面における縦方向Ｘに沿う両側部には、着用時に着用者の肌側に向かって起立する一対の防漏カフ５，５が配されている。一対の防漏カフ５，５は、それぞれ、サイドシート５Ａと、該シート５０に対し縦方向Ｘに伸長状態で固定された糸状の防漏カフ形成用弾性部材５Ｂとを含んで構成されている。サイドシート５Ａは、表面シート２よりも着用者の身体から近い位置に、吸収体４の側縁４ａを横方向Ｙに跨ぐように配され、失禁パッド１の縦方向Ｘの略全長にわたって延在している。サイドシート５Ａは、１枚のシートを横方向Ｙに折り重ねてなる２層構造を有し、その折り曲げ端部は、少なくとも失禁パッド１の縦方向Ｘの中央部（着用者の股間部に対応する領域）においては、表面シート２をはじめとするおむつ１の他の構成部材と非接合の自由端部とされ、失禁パッド１の縦方向Ｘの該両端部においては他の部材に接合されている（図示せず）。サイドシート５Ａの前記折り曲げ端部（自由端部）には、１本又は複数本（図示の形態では２本）の弾性部材５Ｂが伸長状態で固定されている。またサイドシート５Ａの前記折り曲げ端部とは反対側が、吸収体４の側縁４ａよりも横方向Ｙの外方にて裏面シート３に固定され、該折り曲げ端部側が横方向Ｙの外方側に折り返されている。以上の構成により、失禁パッド１の着用時には縦方向Ｘに弾性部材５Ｂの収縮力が働き、防漏カフ５は、少なくとも前記折り曲げ端部が自由端部とされている領域（縦方向Ｘの中央部）において、シート５０の他の部材との固定部を起点として、該自由端部を着用者の肌に向けて起立する。
【００１６】
図２に示すように、裏面シート３の非肌対向面には、該裏面シート３延いては失禁パッド１をショーツ等の下着に固定するズレ止め部６が配されている。ズレ止め部６の素材としては、この種の吸収性物品において通常用いられているものを特に制限なく用いることができ、粘着剤が好ましいが、フック材を用いることもできる。フック材は、ベースシートの表面に多数の係合突起が設けられてなる。粘着剤からなるズレ止め部６は、失禁パッド１をショーツ等の着衣に粘着固定させ、フック材からなるズレ止め部６は、該フック材を構成する多数の係合突起が着衣に係合することで、失禁パッド１を着衣に係合固定させる。ズレ止め部６を形成する粘着剤としては、例えば、スチレン−エチレン−ブチレン−スチレン（ＳＥＢＳ）系、スチレン-イソプレン-スチレン（ＳＩＳ）系、スチレン-ブチレン-スチレン（ＳＢＳ）系、スチレン−エチレン-プロピレン-スチレン系（ＳＥＰＳ）、エチレン酢酸ビニル（ＥＶＡ）、ポリビニルアルコール（ＰＶＡ）等の各種ホットメルト粘着剤を用いることができる。
【００１７】
以下、本発明で用いる吸収体について説明する。本発明では「シート状の吸収体」（以下、「吸収性シート」ともいう）を用いる。この吸収性シートは、液保持性の吸収層４０を含んで構成されるもので、積繊によらずに形成され、後述するようにその材料や構成に起因して、繊維や吸水性樹脂などの吸収体形成材料を積繊してなる積繊体に比して、厚みが薄く低剛性という特徴を有している。このように吸収性シートは、積繊体と区別される点で、「非積繊型吸収体」と言うこともできる。
【００１８】
前述のように、前記吸収性シートは、吸収体形成材料の積繊体に比して、厚みが薄く低剛性であるため、前記吸収性シートを備えた吸収性物品は柔軟で着用感に優れ、またコンパクトに折り畳めてハンドリング性にも優れる。斯かる吸収性シートの特長をより有効に活用し、吸収性能に優れ、着用感の良好な吸収性物品を得る観点から、吸収性シートの１枚あたりの厚みは、好ましくは０．１ｍｍ以上、さらに好ましくは０．３ｍｍ以上、そして、好ましくは２ｍｍ以下、さらに好ましくは１．５ｍｍ以下である。吸収性物品においては、吸収性シートの積層構造を採用することもでき、その場合、該積層構造は、複数枚の吸収性シートを重ね合わせて形成してもよく、あるいは１枚の吸収性シートを折り重ねて形成してもよい。吸収性シートとしては例えば、特許第２９６３６４７号公報、特許第２９５５２２３号公報に記載のものを利用することができる。また、吸収性シートとしては、例えば、湿潤状態の吸水性樹脂に生じる粘着力や別に添加した接着剤や接着性繊維等のバインダーを介して、構成繊維間や構成繊維と吸水性樹脂との間を結合させてシート状としたものを利用することができる。吸収体（吸収性シート）の厚みは下記方法により測定される。
【００１９】
＜吸収体の厚みの測定方法＞
測定対象（吸収体）を水平な場所にシワや折れ曲がりがないように置き、５ｃＮ／ｃｍ２の荷重下での厚みを測定する。具体的には、厚みの測定に、例えば、厚み計（尾崎製作所社製、ＰＥＡＣＯＣＫ  ＤＩＡＬ  ＵＰＲＩＧＨＴ  ＧＡＵＧＥＳ  Ｒ５−Ｃ）を用いる。このとき、厚み計の先端部と測定対象との間に、荷重が５ｃＮ／ｃｍ２となるように大きさを調整した平面視円形状又は正方形状のプレート（厚さ５ｍｍ程度のアクリル板）を配置して、厚みを測定する。
【００２０】
前記吸収性シートの好ましい一例として、吸水性樹脂及び水溶性高分子を含む吸収層を具備するものを例示できる。本実施形態における吸収体４は、この吸収層を具備するものであり、図２に示すように、吸収層４０及び基材層４１を含んで構成されている。尚、図１では、吸収層４０における後述する吸収層非存在部４２を除く部分を破線で示している。
【００２１】
本実施形態における吸収体４は、吸収層４０及び基材層４１のみからなり、該基材層４１の片面、より具体的には図２に示すように、非肌対向面に該吸収層４０が形成されている。即ち、吸収体４は両層４０，４１以外の部材を含んでおらず、前記吸収性シートの特長である「薄型」という特性が、より一層追及されたものとなっている。また、吸収層４０が基材層４１の非肌対向面に形成されていることにより、基材層４１の肌対向面に形成されている場合に比して、失禁パッド１の着用時に着用者が吸収層４０の凹凸感を感じづらいので、失禁パッド１は着用感に優れる。尚、本発明で用いる吸収体は、図２に示す如き吸収体４の形態に限定されず、例えば、吸収層４０と基材層４１との間に他の部材が介在配置されていてもよく、あるいは基材層４１の肌対向面に吸収層４０が形成されていてもよく、基材層４１の両面に吸収層４０が形成されていてもよい。
【００２２】
吸収層４０には吸水性樹脂及び水溶性高分子が含有されている。吸収体４が有する液吸収能は、主に吸収層４０、特に吸収層４０に含まれる吸水性樹脂によるものである。基材層４１は、主に、吸収層４０を塗工によって形成する際の被塗工基材としての役割、及び吸収層４０の支持層としての役割を担う。
【００２３】
吸収層４０に含有される吸水性樹脂としては、この種の吸収性物品における吸収体に用いられるものを特に制限なく用いることができる。吸水性樹脂としては一般に、粒子状のものが用いられるが、繊維状のものでもよい。粒子状の吸水性樹脂を用いる場合、その形状は球状、塊状、俵状又は不定形の何れでもよい。吸水性樹脂の平均粒子径は、好ましくは１０μｍ以上、さらに好ましくは１００μｍ以上、そして、好ましくは１０００μｍ以下、さらに好ましくは８００μｍ以下である。吸水性樹脂としては、一般に、アクリル酸又はアクリル酸アルカリ金属塩の重合物又は共重合物を用いることができる。その例としては、ポリアクリル酸及びその塩並びにポリメタクリル酸及びその塩が挙げられる。
【００２４】
吸収層４０において、水溶性高分子は、併用される吸水性樹脂を基材層４１に固定する役割を担う。水溶性高分子は、文字通り、水溶性である。水あるいは水性液との接触によって溶解する。従って、失禁パッド１の吸収対象である尿、経血、汗などの体液との接触によって溶解する。ここでいう「水溶性」とは、２５℃の水１００ｇに対する溶解度が好ましくは１ｇ以上のことであり、さらに好ましくは５ｇ以上のことであり、一層好ましくは１０ｇ以上のことである。水溶性高分子の溶解度は下記方法により測定される。
【００２５】
＜水溶性高分子の溶解度の測定方法＞
１００ｍＬのガラスビーカー（５ｍｍΦ）に、所定量の評価対象物（水溶性高分子）と、液温２５℃のイオン交換水５０ｍＬとを投入して混合し、その混合物に長軸方向の長さ２０ｍｍ、短軸方向の長さ（幅）７ｍｍのスターラーチップを入れ、マグネチックスターラー（例えばアズワン株式会社製ＨＰＳ−１００）を用いて回転数６００ｒｐｍで該混合物を撹拌し、評価対象物の全量が攪拌開始から２４時間以内に５０ｍＬのイオン交換水に溶解するか否かを確認する。斯かる一連の作業を、評価対象物の総重量（前記ビーカーへの投入量）が異なる複数のサンプルについて行い、評価対象物の全量が溶解した複数のサンプルのうち、その溶解量が最大であったサンプルにおける評価対象物の総重量の２倍の値を、該評価対象物の２５℃の水１００ｇに対する溶解度とする。
【００２６】
吸収層４０に含有される水溶性高分子は、前記測定方法において、ビーカーに投入した量の全量が５０ｍＬのイオン交換水に溶解するのに要した時間が、３時間以内であることが好ましく、３０分以内であることがさらに好ましい。
【００２７】
吸収層４０に含有される水溶性高分子として、例えば、ポリビニルピロリドン、ポリビニルアルコール、ポリビニルブチラール、デキストリン、ポリエチレンオキシド、水溶性ナイロンなどが挙げられ、これらの１種を単独で又は２種以上を組み合わせて用いることができる。これらの水溶性高分子の中でも、ポリビニルピロリドン、ポリビニルブチラール、デキストリンが好ましく、特に、水溶性、及び吸収層４０の基材層４１への固定性の観点から、ポリビニルピロリドンが好ましく、とりわけ、Ｋ−１５、Ｋ−３０、Ｋ−６０又はＫ−９０のグレードのポリビニルピロリドンが好ましい。
【００２８】
吸収体４の一層の薄型化を図る観点から、吸収層４０は、パルプ繊維、合繊繊維などの繊維材料を非含有であることが好ましい。
【００２９】
基材層４１としては、吸収層４０と一体化し得るものが用いられ、液透過性でもよく、液不透過性ないし液難透過性でもよい。基材層４１は、例えば、不織布、紙、織布、樹脂フィルムなどのシート状物から構成することができ、これらシート状物の２種以上の積層体を基材層４１としてよい。基材層４１にて尿等の体液を面方向に拡散させる観点から、基材層４１としては、不織布、紙、織布などの液透過性の繊維シートが好ましい。
【００３０】
基材層４１を構成する不織布としては、各種の製造方法で得られるものを特に制限なく用いることができ、例えば、スパンレース不織布、スパンボンド不織布、エアスルー不織布、メルトブローン不織布、ニードルパンチ不織布、レジンボンド不織布等が挙げられ、これらの１種を単独で又は２種以上を積層して用いることができる。
【００３１】
基材層４１を構成する織布としては、種々の繊維組織を有するものを用いることができる。基材層４１を構成する紙としては、抄紙可能な繊維を原料とし、湿式抄紙法又は乾式抄紙法によって得られたものを用いることができる。基材層４１を構成する樹脂フィルムとしては、例えば、Ｔダイ法やインフレーション法によって成形され、一軸又は二軸延伸されて得られたものを用いることができる。
【００３２】
基材層４１の構成材料としては、各種の熱可塑性樹脂などの合成高分子材料、パルプ等のセルロースなどの天然高分子材料などを用いることができる。熱可塑性樹脂としては、例えばポリエチレン（ＰＥ）やポリプロピレン（ＰＰ）等のポリオレフィン繊維、ポリエチレンテレフタレート（ＰＥＴ）やポリブチレンテレフタレート（ＰＢＴ）等のポリエステル繊維、ポリアクリル酸やポリメタクリル酸エステル等のポリアクリル酸系繊維、ポリスチレンやポリ塩化ビニル等のビニル系繊維などを用いることができる。これらの樹脂は単独で用いてもよく、あるいは２種以上をブレンドして用いてもよい。これらの樹脂から繊維を形成する場合には、単一樹脂の繊維を形成してもよく、あるいは芯鞘型やサイドバイサイド型の複合繊維を形成してもよい。
【００３３】
吸収体４の薄型化、吸収性能の確保等の観点から、吸収体４の各部は以下のように設定することが好ましい。
吸収層４０の吸水性樹脂の坪量は、好ましくは１００ｇ／ｍ２以上、さらに好ましくは１５０ｇ／ｍ２以上、そして、好ましくは４００ｇ／ｍ２以下、さらに好ましくは５００ｇ／ｍ２以下である。
基材層４１の坪量は、好ましくは１０ｇ／ｍ２以上、さらに好ましくは１５ｇ／ｍ２以上、そして、好ましくは７０ｇ／ｍ２以下、さらに好ましくは６０ｇ／ｍ２以下である。
吸収体４の厚みは、好ましくは０．１ｍｍ以上、さらに好ましくは０．３ｍｍ以上、そして、好ましくは２．０ｍｍ以下、さらに好ましくは１．５ｍｍ以下である。
【００３４】
吸収体４は、基材層４１の片面に吸収層４０を塗設することで製造される。具体的には例えば、基材層４１の原料シート（例えば不織布）の片面に、吸収層４０に含まれる成分を含有する塗料を塗工することで、吸収体４を製造することが可能である。斯かる塗工方法は、公知の塗工装置を用いて常法に従って実施することができる。このような、塗料の塗工を伴う製造方法に鑑みると、吸水性樹脂及び水溶性高分子を含む吸収層４０を具備する吸収体４は「塗工型吸収体」と言うことができる。
【００３５】
前述したように、失禁パッド１は、吸収体４が薄型の吸収性シートであるため、失禁パッド１全体としても薄型であり、着用感に優れる。しかしながら、このような薄型の吸収体４は、失禁パッド１の着用中に変形しやすく、特に後方部Ｒにおける、着用時に着用者の臀部に配される臀部領域では、吸収体４が着用者の臀部の溝（臀裂）に沿って折れ曲がるように変形し、また、その吸収体４の変形が長時間維持され、着用者の違和感に繋がることが懸念される。さらには、吸収体４が臀裂に沿って折れ曲がるように変形することで、その変形部分に位置する裏面シート３が着用者の着衣から浮き上がり吸収性物品のヨレを誘発したり、その浮き上がった裏面シート３に存在するズレ止め部６どうしが接着してしまうことも懸念される。
【００３６】
これに対し、失禁パッド１においては、図１及び図３に示すように、後方部Ｒの臀部領域において、吸収体４の横方向Ｙの中央部に、該吸収体４の形成材料の内、少なくとも吸収層４０が存在しない吸収層非存在部４２を縦方向Ｘに延在させると共に、図３に示すように、裏面シート３の非肌対向面のズレ止め部６を、吸収層非存在部４２を挟んだ横方向Ｙの両側に配することとして、前記懸念を払拭した。このように、失禁パッド１における着用中に着用者の臀裂に対応する部分が、吸収体４の形成材料の内、少なくとも吸収層４０が存在しない吸収層非存在部４２となっていることにより、吸収層非存在部４２が存在しない場合において吸収体４が臀裂に沿って折れ曲がるように変形するような力が作用しても、その変形は吸収層非存在部４２に集中する。吸収体４は全体的に剛性が低いものであるが、吸収層非存在部４２は、吸収層４０が存在しない領域であるために特に剛性が低く、また、吸収体４を変形させる力が作用しやすい領域であるためである。また、吸収層非存在部４２の横方向Ｙの両側に、裏面シート３を着用者の下着等の着衣に固定しているズレ止め部６が配されているため、吸収層非存在部４２及びその周辺部が臀裂に沿って変形した場合に裏面シート３が着衣から浮き上がりにくく、ズレ止め部６どうしの接着やヨレを効果的に抑制することができる。
【００３７】
このように、失禁パッド１においては、吸収層非存在部４２とその他の部分との間に厚み差が存在するため、着用中に折れ等の変形が生じる部分が、相対的に厚みの薄い吸収層非存在部４２に限定され、また、その変形が集中しやすい吸収層非存在部４２の横方向Ｙの両側にズレ止め部６が配されているため、臀部領域での吸収体４の折れに起因する不都合が効果的に防止されるのである。
【００３８】
特に本実施形態では、前述したように、吸収体４が吸水性樹脂及び水溶性高分子を含む吸収層４０を具備しているところ、この吸収層４０が尿等の体液と接触すると、該吸水性樹脂を固定していた該水溶性高分子が溶解し、該吸水性樹脂が移動可能になるため、失禁パッド１における吸収層４０が存在する領域での厚み差が低減する。このように、吸収層４０に水溶性高分子が含まれていることで、体液の吸収後における吸収体４の局所的な厚みの増加が抑制され、吸収体４全体としてはほぼ一定の厚みを維持しやすい。このような吸収層４０の組成の工夫によっても、前述した吸収層非存在部４２の採用及びズレ止め部６の配置等の工夫と同様に、体液の吸収後も裏面シート３の浮き上がりやズレ止め部６どうしの接着が抑制される。
【００３９】
また本実施形態では、前述したように、吸収体４が吸収層４０及び基材層４１のみから構成されていて、吸収体４の薄型化が徹底されているため、吸収体４全体で厚み差が低減されており、そのため、端部を起点とする折れなどが効果的に抑制される。また、基材層４１の片面のみに吸収層４０が形成されている場合、その片面の吸収層４０は、着用者の肌側に向いていてもよく、非肌側に向いていてもよいが、図２に示すように非肌側に向いている方が、失禁パッド１の着用時に着用者が吸収層４０の凹凸感を感じにくく、失禁パッド１に優れた着用感を付与できるため好ましい。
【００４０】
また、基材層４１が不織布であると、基材層４１が紙などの他の素材から形成されている場合に比して、基材層４１全体の剛性が低下するため、仮に、臀部領域において吸収体４が着用者の臀部の溝に沿って折れ曲がるように変形しても、速やかに変形前の状態に戻りやすい。
【００４１】
前述したように、吸収層非存在部４２には吸収層４０が存在しない。ここでいう「存在しない」とは、吸収層非存在部４２に吸収層４０が全く存在しない、即ち吸収層非存在部４２における吸収層４０の坪量がゼロ形態（形態Ａ）と、吸収層非存在部４２に吸収層４０が存在しているが、その吸収層４０の坪量が吸収体４の他の部分（周辺部）におけるそれよりも少量であって該吸収層非存在部４２が吸収体としての機能を実質的に有していない形態（形態Ｂ）とが包含される。前記形態Ｂ（低坪量の吸収層４０を具備する吸収層非存在部４２）であっても、前記形態Ａ（吸収層４０を具備しない吸収層非存在部４２）と同様の作用効果が奏されるためである。但し、より高い効果を得る観点から、前記形態Ａの方が好ましい。本実施形態では前記形態Ａが採用されている。前記形態Ｂにおいて、低坪量部の吸収層非存在部４２の吸水性樹脂の坪量は、好ましくは３０ｇ／ｍ２以下、さらに好ましくは１０ｇ／ｍ２以下である。
【００４２】
尚、吸収層非存在部４２には、基材層４１が存在していてもよく、存在していなくてもよい。後者の場合、即ち、吸収層非存在部４２に吸収層４０のみならず基材層４１も存在していない場合、当該吸収層非存在部４２の坪量はゼロであり、吸収体４における空間部となっている。前述した吸収層非存在部４２に起因する作用効果を一層高める観点から、吸収層非存在部４２は、吸収層４０及び基材層４１が非存在の空間部であることが好ましい。
【００４３】
吸収層非存在部４２は、失禁パッド１の着用者の臀裂に対応するために、吸収体４の横方向Ｙの中央部、より具体的には、吸収体４における臀部領域（後方部Ｒ）に位置する部分を横方向に三等分した場合の中央部に配され、且つ縦方向Ｘに延在するように配される。本実施形態における吸収層非存在部４２は、図１に示すように、後方部Ｒのみに形成されていて前方部Ｆには形成されておらず、図１に示す如き平面視において、吸収体４の後方部Ｒ側の縦方向Ｘの一端即ち後端から縦方向Ｘに連続的に延びる長方形形状をなし、該吸収層非存在部４２の縦方向Ｘの一端（前端）が閉鎖端、他端（後端）が開放端となっている。吸収層非存在部４２の後端が開放端となっていることで、臀部領域での折れ曲がりが維持されることがより一層防止される。
【００４４】
吸収層非存在部４２による前述した作用効果をより確実に奏させるようにする観点から、各部の寸法等は以下のように設定することが好ましい。
吸収層非存在部４２の縦方向Ｘの長さＬ１（図１参照）と吸収体４の同方向の長さとの比率は、前者／後者として、好ましくは０．１以上、さらに好ましくは０．１５以上、そして、好ましくは０．４以下、さらに好ましくは０．３５以下である。
吸収層非存在部４２の縦方向Ｘの長さＬ１は、好ましくは１０ｍｍ以上、さらに好ましくは２０ｍｍ以上、そして、好ましくは１６０ｍｍ以下、さらに好ましくは１２０ｍｍ以下である。
吸収層非存在部４２の横方向Ｙの長さ（幅）Ｗ１（図１参照）と吸収体４の同方向の長さ（幅）との比率は、前者／後者として、好ましくは０．１以上、さらに好ましくは０．１５以上、そして、好ましくは０．３５以下、さらに好ましくは０．３以下である。
吸収層非存在部４２の幅Ｗ１は、好ましくは５ｍｍ以上、さらに好ましくは１０ｍｍ以上、そして、好ましくは３５ｍｍ以下、さらに好ましくは３０ｍｍ以下である。尚、図示の形態では、吸収層非存在部４２の幅Ｗ１は、吸収層非存在部４２の縦方向Ｘの全長にわたって一定であるが、一定でなくてもよい。
【００４５】
図３（ａ）〜図３（ｄ）には、失禁パッド１におけるズレ止め部６の配置パターンが示されている。図３の何れの形態でも、前述した作用効果が奏される。尚、図３では、吸収層４０における吸収層非存在部４２を除く部分を実線で示している。
図３（ａ）及び図３（ｂ）においては、それぞれ、前方部Ｆ及び後方部Ｒそれぞれの全域に、平面視長方形形状の複数のズレ止め部６がその長手方向を横方向Ｙに一致させて縦方向Ｘに等間隔に間欠配置されている。ズレ止め部６の数、ズレ止め部６の寸法及び形状、縦方向Ｘに隣り合うズレ止め部６どうしの間隔などは、特に制限されず適宜設定可能である。
図３（ｃ）及び図３（ｄ）においては、それぞれ、平面視長方形形状の１個のズレ止め部６が前方部Ｆから後方部Ｒにわたって連続的に配置されている。この１個のズレ止め部６は、吸収体４の周縁全体から外方に延出しており、吸収体４全体が該ズレ止め部６と完全に重複している。
【００４６】
図３（ａ）〜図３（ｄ）において、ズレ止め部６は、吸収体４の縦方向Ｘに沿う側縁４ａから横方向Ｙの外方に延出している。図示の形態では、ズレ止め部６は吸収体４の両側縁４ａ，４ａそれぞれから延出している。斯かる構成により、前述した作用効果、即ち、吸収体４が臀裂に沿って折れ曲がるように変形すること及びその変形維持の抑制効果、並びにその吸収体４の変形に伴う裏面シート３の浮き上がり抑制効果、ズレ止め部６どうしの接着及びヨレの防止効果がより一層確実に奏されるようになる。また、失禁パッド１においては前述したように、吸収層非存在部４２とその他の部分との間に厚み差が存在するため、吸収体４の変形に伴って吸収層非存在部４２の横方向Ｙの両側が肌側にめくれ上がることが懸念されるが、そうした懸念は、ズレ止め部６が吸収体４の縦方向Ｘに沿う側縁４ａから横方向Ｙの外方に延出していることによって払拭されている。斯かる作用効果をより確実に奏させるようにする観点から、ズレ止め部６の、吸収体４の側縁４ａからの延出長さは、好ましくは５ｍｍ以上、さらに好ましくは１０ｍｍ以上である。
【００４７】
また、図３（ａ）〜図３（ｄ）において、ズレ止め部６は、吸収体４の縦方向端４ｂから縦方向Ｘの外方に延出している。図示の形態では、ズレ止め部６は吸収体４の縦方向Ｘの両端４ｂ，４ｂそれぞれから延出している。斯かる構成により、吸収体４の吸収層非存在部４２及びその周辺部が臀裂に沿って変形した際に、吸収体４がその端部側からめくれてしまう不都合がより一層効果的に防止される。また本実施形態の失禁パッド１は、前述した通り、失禁パッド１の縦方向Ｘの略全長にわたる防漏カフ５を具備しており、これに起因して、着用者の着衣に固定されるべき裏面シート３が、表面シート２などと同様に、着用者の身体側に向かって凹状に変形（いわゆる舟型に変形）してしまうことが懸念されるところ、ズレ止め部６が吸収体４の縦方向Ｘの両端４ｂ，４ｂから縦方向Ｘの外方に延出していることで、斯かる懸念が払拭されている。斯かる作用効果をより確実に奏させるようにする観点から、ズレ止め部６の、吸収体４の縦方向端４ｂからの延出長さは、好ましくは５ｍｍ以上、さらに好ましくは１０ｍｍ以上である。
【００４８】
図３（ａ）の形態と図３（ｂ）の形態とは、ズレ止め部６が複数間欠配置されている点で共通するが、図３（ａ）の形態では、ズレ止め部６が吸収層非存在部４２を横方向Ｙに横断していて、吸収層非存在部４２と平面視において重なっているのに対し、図３（ｂ）の形態では、ズレ止め部６が吸収層非存在部４２と重なっていない。また、図３（ｃ）の形態と図３（ｄ）の形態とは、ズレ止め部６が裏面シート３の所定領域に連続的に配されている点で共通するが、図３（ｃ）の形態では、ズレ止め部６が吸収層非存在部４２を横方向Ｙに横断していて、吸収層非存在部４２と平面視において重なっているのに対し、図３（ｄ）の形態では、ズレ止め部６が吸収層非存在部４２と重なっていない。図３の何れの形態も前述した作用効果を奏し得るものであるが、特に、吸収層非存在部４２及びその周辺部が臀裂に沿って変形し、それに伴って裏面シート３が着用者の着衣から浮き上がった場合の、ズレ止め部６どうしの接着を防止する観点から、図３（ｂ）及び図３（ｄ）のように、ズレ止め部６が吸収層非存在部４２と重なっていないことが好ましい。
【００４９】
失禁パッド１は、図１に示すように、吸収体４の周縁（側縁４ａ、縦方向端４ｂ）の少なくとも一部から外方に延出する吸収体非配置領域を具備しており、前述したサイドフラップ部Ｓは該吸収体非配置領域の一部である。失禁パッド１における各部間の厚み差を低減して、吸収体４の周縁部から発生しやすい折れやヨレを抑制する観点から、失禁パッド１における吸収体４が配置されている領域（平面視において吸収体４と重なる部分）における吸収層非存在部４２以外の部分と前記吸収体非配置領域（平面視において吸収体４と重ならない部分）との厚み差は少ないことが好ましく、理想的にはゼロである。斯かる厚み差は、前者−後者として、好ましくは２．０ｍｍ以下、さらに好ましくは１．５ｍｍ以下である。前述したように、吸収体４が吸収層４０及び基材層４１のみから構成されていると、このような少ない厚み差を実現することが容易である。
【００５０】
図４には、本発明の吸収性物品の他の実施形態として失禁パッド１Ａが示されている。後述する他の実施形態については、前述した失禁パッド１と異なる構成部分を主として説明し、同様の構成部分は同一の符号を付して説明を省略する。特に説明しない構成部分には、失禁パッド１についての説明が適宜適用される。
【００５１】
図４に示す失禁パッド１Ａにおいては、吸収層非存在部４２が、吸収体４の縦方向Ｘの全長にわたって縦方向Ｘに延在している。失禁パッド１Ａによっても、失禁パッド１と同様の効果が奏される。尚、図４では、吸収層４０における吸収層非存在部４２を除く部分を実線で示している。
【００５２】
以上、本発明について説明したが、本発明は前述した実施形態に制限されず、本発明の趣旨を逸脱しない範囲で適宜変更可能である。
例えば前記実施形態では、臀部領域（後方部Ｒ）において吸収層非存在部４２は１個しか存在していないが、複数存在してもよく、その場合は、図１に示す如く、臀部領域における吸収体４の横方向Ｙの中央に吸収層非存在部４２が１個存在し、さらに、その中央の１個の吸収層非存在部４２を中心としてその横方向Ｙの一方側及び他方側それぞれに、他の吸収層非存在部４２がそれら両側どうしで同数存在することが好ましい。
また前記実施形態では、吸収層非存在部４２の縦方向Ｘの後端が開放端となっていたが、該後端は閉鎖端であってもよい。その場合の吸収層非存在部４２は、その全周にわたって吸収体４の形成材料に包囲された形態である。
本発明の吸収性物品は、人体から排出される体液（尿、経血、軟便、汗等）の吸収に用いられる物品を広く包含し、失禁パッドの他、生理用ナプキン、生理用ショーツ等も包含される。
【符号の説明】
【００５３】
１，１Ａ  失禁パッド（吸収性物品）
Ｆ  前方部
Ｒ  後方部
２  表面シート
３  裏面シート
４  吸収体
４０  吸収層
４１  基材層
４２  吸収層非存在部
５  防漏カフ
６  ズレ止め部
【図１】
2019097593.tif 000003
【図２】
2019097593.tif 000004
【図３】
2019097593.tif 000005
【図４】
2019097593.tif 000006